(57)【特許請求の範囲】
【請求項１】
略立方体柱状をなし、軸心方向には中空路が設けられ、該中空路と外部とを連通するスリットが上面部に軸心方向へ向かって直線状に設けられた、スリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片とを有する吊り部材ユニットが一対用意され、
該一対の吊り部材ユニットは若干間隔をあけて重ねられ、２重にされた状態で固着され、前記接続片先端側には上方引っ張り部が設けられ、前記重ねられて２重にされた状態の支持片外側両面には各々垂直方向に延びるガイド条が形成された、吊り具本体と、
前記ガイド条に掛合し垂直方向へ移動可能にして吊り具本体に取り付けられたセット時位置決め部材兼吊り上げ時位置決め部材と、
を備えた吊り具であって、
前記吊り具のスリット付き側溝用ブロックへのセット時には、前記セット時位置決め部材兼吊り上げ時位置決め部材がスリットの一方側内壁に当接してセット時の位置決め部材となり、スリット付き側溝ブロックの吊り上げ時には、前記セット時位置決め部材兼吊り上げ時位置決め部材はスリットの一方側内壁に当接しつつ前記ガイド条の下側に移動し、前記吊り上げ時での位置決め部材となる、
ことを特徴とするスリット付き側溝用ブロックの吊り具装置。
【請求項２】
略立方体柱状をなし、軸心方向には中空路が設けられ、該中空路と外部とを連通するスリットが上面部に軸心方向へ向かって直線状に設けられると共に、前記スリットは幅方向中央から一方側へ偏って設けられた、スリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片とを有する吊り部材ユニットが一対用意され、
該一対の吊り部材ユニットは若干間隔をあけて重ねられ、２重にされた状態で固着され、前記接続片先端側には上方引っ張り部が設けられ、前記重ねられて２重にされた状態の支持片外側両面には各々垂直方向に延びるガイド条が形成された、吊り具本体と、
前記ガイド条に掛合し垂直方向へ移動可能にして吊り具本体に取り付けられたセット時位置決め部材兼吊り上げ時位置決め部材と、
を備えた吊り具であって、
前記吊り具のスリット付き側溝用ブロックへのセット時には、前記セット時位置決め部材兼吊り上げ時位置決め部材がスリットの一方側内壁に当接してセット時の位置決め部材となり、スリット付き側溝ブロックの吊り上げ時には、前記セット時位置決め部材兼吊り上げ時位置決め部材はスリットの一方側内壁に当接しつつ前記ガイド条の下側に移動し、前記吊り上げ時での位置決め部材となる、
ことを特徴とするスリット付き側溝用ブロックの吊り具装置。
【発明の詳細な説明】
【０００１】
【発明の属する技術分野】
本発明は、例えば、道路の両脇に敷設されて側溝を形成するスリット付き側溝用ブロックの吊り具装置に関するものである。
【従来の技術】
スリット付き側溝用ブロックは、その上面側の外部と側溝用ブロック内部の水路等の機能をはたす中空路とは上面部に形成されたスリットにより連通されている。
【０００２】
この上面にスリットが設けられた側溝用ブロックは、近年急激に需要が増えており、例えば車道の両脇に当該スリット付き側溝用ブロックを用いた側溝が形成され、敷設されることが多々見受けられる。
【０００３】
そして、降雨時においては、車道に流れ込んだ大量の雨水等が当該側溝に設けられたスリットから内部の中空路に流れ込むものとされている。
【０００４】
しかして、当該スリット付き側溝用ブロックの吊り具装置は、前記スリット付き側溝用ブロックの運搬に際しても、またその施工に際しても用いられる必須不可欠の重要な装置であり、このスリット付き側溝ブロックの吊り上げに最も適し、また吊り上げ作業の安全性が保て、しかも吊り上げ作業がスムーズに行える吊り具装置の提供が従来より要望されていた。
【発明が解決しようとする課題】
しかして、本発明は前記従来からの要望に対処すべく創案されたものであり、スリット付き側溝用ブロックの運搬に際しても、またその施工に際しても何ら変わりなくスムーズに使用でき、そしてスリット付き側溝ブロックの吊り上げに最も適し、また吊り上げ作業の安全性が保て、しかも吊り上げ作業効率の良いスリット付き側溝用ブロックの吊り具装置を提供することを目的とするものである。
【課題を解決するための手段】
本発明によるスリット付き側溝用ブロックの吊り具装置は、
スリット付き側溝用ブロックの運搬に際しても、またその施工に際しても何ら変わりなくスムーズに使用でき、そしてスリット付き側溝ブロックの吊り上げに最も適し、また吊り上げ作業の安全性が保て、しかも吊り上げ作業効率の良いスリット付き側溝用ブロックの吊り具装置を提供することを目的とする、スリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片とを有する吊り部材ユニットが一対用意され、
該一対の吊り部材ユニットは若干間隔をあけて重ねられ、２重にされた状態で固着され、前記接続片先端側には上方引っ張り部が設けられ、前記重ねられて２重にされた状態の支持片外側両面には各々垂直方向に延びるガイド条が形成された、吊り具本体と、
前記ガイド条に掛合し垂直方向へ移動可能にして吊り具本体に取り付けられたセット時位置決め部材兼吊り上げ時位置決め部材と、
を備えた吊り具であって、
前記吊り具のスリット付き側溝用ブロックへのセット時には、前記セット時位置決め部材兼吊り上げ時位置決め部材がスリットの一方側内壁に当接してセット時の位置決め部材となり、スリット付き側溝ブロックの吊り上げ時には、前記セット時位置決め部材兼吊り上げ時位置決め部材はスリットの一方側内壁に当接しつつ前記ガイド条の下側に移動し、前記吊り上げ時での位置決め部材となる、
ことを特徴とし、
または、
略立方体柱状をなし、軸心方向には中空路が設けられ、該中空路と外部とを連通するスリットが上面部に軸心方向へ向かって直線状に設けられると共に、前記スリットは幅方向中央から一方側へ偏って設けられた、スリット付き側溝用ブロックの吊り具装置であり、
前記中空路の上壁に係止する上壁係止片と、該上壁係止片に連続し略垂直上方向へ延びる支持片と、該支持片の先端部から前記上壁係止片と同様の方向へ折曲する接続片とを有する吊り部材ユニットが一対用意され、
該一対の吊り部材ユニットは若干間隔をあけて重ねられ、２重にされた状態で固着され、前記接続片先端側には上方引っ張り部が設けられ、前記重ねられて２重にされた状態の支持片外側両面には各々垂直方向に延びるガイド条が形成された、吊り具本体と、
前記ガイド条に掛合し垂直方向へ移動可能にして吊り具本体に取り付けられたセット時位置決め部材兼吊り上げ時位置決め部材と、
を備えた吊り具であって、
前記吊り具のスリット付き側溝用ブロックへのセット時には、前記セット時位置決め部材兼吊り上げ時位置決め部材がスリットの一方側内壁に当接してセット時の位置決め部材となり、スリット付き側溝ブロックの吊り上げ時には、前記セット時位置決め部材兼吊り上げ時位置決め部材はスリットの一方側内壁に当接しつつ前記ガイド条の下側に移動し、前記吊り上げ時での位置決め部材となる、
ことを特徴とするものである。
【発明の実施の形態】
以下、図に基づいて本発明に係るスリット付き側溝用ブロックの吊り具装置についての一実施例につき説明する。
【０００５】
本発明による側溝用ブロック１はその上面部４にスリット３が設けられた側溝用ブロック１であり、該スリット付き側溝ブロック１は、通常では略直方体の角柱状をなして形成されている。
【０００６】
そして、その軸心方向には例えば縦長楕円状をなし内側の上壁１５がフラット面に形成された中空路２が設けられている。
【０００７】
ここで、この中空路２と外部とを連通させるスリット３が上面部４において軸心方向へ向かって直線状に延出して設けられていると共に、該スリット３は側溝用ブロック１の幅方向中央から一方側（図５乃至図７において左側）に偏らせて設けられている。
【０００８】
さらに、この上面部４の外表面は前記スリット３を境に若干段差を設けて形成されている場合もあり、図に向かって右側が、図に向かって左側より低くなるよう構成されている。
【０００９】
なお、図５乃至図７等においては段差があるスリット付き側溝用ブロック１が示されているが、かかるスリット付き側溝用ブロック１に限定されるものではなく、段差のないスリット付き側溝用ブロック１でも構わないものである。
【００１０】
次に、符号５は前述したスリット付き側溝用ブロック１の吊り具を示す。
【００１１】
該吊り具５は、２重に重ねられた一対の吊り部材ユニット１１，１１とガイド条１２と上方引っ張り部１７を有する吊り上げ部材本体１３と、セット時位置決め部材兼吊り上げ時位置決め部材９とを備えて構成される。
【００１２】
ここで吊り部材ユニット１１は前記スリット付き側溝用ブロック１の中空路２の上壁１５に係止する上壁係止片６と、該上壁係止片６に連続し略垂直上方向へ延びる支持片７と、該支持片７の先端部から前記上壁係止片６と同様の方向へ折曲する接続片８とを有して構成され、該吊り部材ユニット１１，１１が一対用意される。
【００１３】
そして、一対の吊り部材ユニット１１，１１は若干の間隔をあけて重ねられ、いわゆる２重にされた状態で固着される。
【００１４】
また、前記接続片８先端側には前記の上方引っ張り部１７が設けられ、前記重ねられて２重にされた状態の支持片７，７外側両面には各々垂直方向に延びるガイド条１２が形成され、吊り上げ部材本体１３が構成されている。
【００１５】
次に、セット時位置決め部材兼吊り上げ時位置決め部材９は、図から理解されるように、基片１０と該基片１０の両端部から略直角方向へ折曲して張り出す張り出し片１４，１４を有して断面略コ字状をなして形成されており、前記両張り出し片１４，１４の内側には各々前記ガイド条１２，１２に掛合するガイド溝１６，１６が設けられ、もってセット時位置決め部材兼吊り上げ時位置決め部材９は吊り上げ部材本体１３を構成する支持片７の垂直方向（長手方向）へスライド移動可能とされている。
【００１６】
以上において、まず、前記構成からなる吊り具５をスリット付き側溝ブロック１のスリット３内に挿入する。
【００１７】
この挿入に際しては該吊り具５の長さ方向をスリット３の長さ方向と平行にし、その状態で挿入する。挿入後は中空路２内で吊り具５を約９０度程度回転させて向きを変え、セット時位置決め部材兼吊り上げ時位置決め部材９の基片１０外側面をスリット３の一方側内壁１８に当接させる。
【００１８】
その状態から上方引っ張り部１７を介して接続された吊り上げワイヤー等の吊り上げ材１８を上方へ引き上げる。
【００１９】
すると、吊り具５は、その上壁係止片６がフラット面たる中空路２の上壁１５に密接して係止し、かつ前記セット時位置決め部材兼吊り上げ時位置決め部材９がスリット３の一方側内壁１９に当接した状態で、吊り上げ部材本体１３の支持片７が上方向へ持ち上げられて移動し、もってセット時位置決め部材兼吊り上げ時位置決め部材９が前記支持片７のガイド条１２上部位置から下側位置までスライド移動する。
【００２０】
この吊り上げの際、セット時位置決め部材兼吊り上げ時位置決め部材９が吊り上げ時位置決め部材となる。
【００２１】
また、前記セット時位置決め部材兼吊り上げ時位置決め部材９がスリット３の一方側内壁１９を押圧することにより吊り具５は全体的にスリット３の他方側内壁２０の方へ移動し、これにより図に示すように吊り部材ユニット１１の上壁係止片６と支持片７とでスリット３の他方側内壁２０及び該内壁２０の下端から水平方向へ繋がる中空路２の上壁１５とを包み込むような形で係止固定することになる。
【００２２】
よって、本発明によれば、安全にスムーズに、かつ効率よくスリット付き側溝ブロック１を吊り上げることができる。
【発明の効果】
かくして本発明は以上の構成よりなる。
【００２３】
そして、本発明によるスリット付き側溝用ブロックの吊り具であれば、スリット付き側溝ブロックの吊り上げに最も適しているといえるものであり、吊り上げ作業の安全性が保て、しかも吊り上げ作業効率の優れたスリット付き側溝用ブロックの吊り具装置を提供できることとなる。
【図面の簡単な説明】
【図１】  本発明によるスリット付き側溝ブロックの吊り具の構成を説明する構成説明図（その１）である。
【図２】  本発明によるスリット付き側溝ブロックの吊り具の構成を説明する構成説明図（その２）である。
【図３】  本発明によるスリット付き側溝ブロックの吊り具の使用状態を説明する構成説明図（その１）である。
【図４】  本発明によるスリット付き側溝ブロックの吊り具の使用状態を説明する構成説明図（その２）である。
【図５】  本発明によるスリット付き側溝ブロックの吊り具の使用状態を説明する構成説明図（その３）である。
【図６】  本発明によるスリット付き側溝ブロックの吊り具の使用状態を説明する構成説明図（その４）である。
【図７】  本発明によるスリット付き側溝ブロックの吊り具の使用状態を説明する構成説明図（その５）である。
【図８】  本発明によるスリット付き側溝ブロックの吊り具の使用状態を説明する構成説明図（その６）である。
【符号の説明】
１    スリット付き側溝用ブロック
２    中空路
３    スリット
４    上面部
５    吊り具
６    上壁係止片
７    支持片
８    接続片
９    セット時位置決め部材兼吊り上げ時位置決め部材
１０    基片
１１    吊り部材ユニット
１２    ガイド条
１３    吊り上げ部材本体
１４    張り出し片
１５    上壁
１６    ガイド溝
１７    上方引っ張り部
１８    吊り上げ材
１９    スリットの一方側内壁
２０    スリットの他方側内壁
【図１】
0003758152.tif 000002
【図２】
0003758152.tif 000003
【図３】
0003758152.tif 000004
【図４】
0003758152.tif 000005
【図５】
0003758152.tif 000006
【図６】
0003758152.tif 000007
【図７】
0003758152.tif 000008
【図８】
0003758152.tif 000009